(57)【要約】【課題】  マイナスイオンを伴う冷風の加熱を抑制し、利用者の操作に依存することなく誰であっても、十分なマイナスイオンの供給を受けることができるドライヤを提供することを目的とする。また、前記目的を達成しつつ冷風が送出されない温風のみを送出できるモードを有するドライヤを提供する。【解決手段】  ヒータユニット２０が加熱を放電手段５０の駆動中に間欠的に行うので、ヒータユニット２０の間欠周期の加熱停止期間中は前記放電手段５０により生成されたマイナスイオンが温風によりエネルギーを受けて蒸発することなく、温風又は冷風が切り替わりながら送出するため利用者が操作を特に留意しなくとも、髪に対して十分なマイナスイオンが供給され、髪の艶、しっとり感、さらさら感があるように乾燥又は整髪できる。【選択図】  図３
2006192075.tif 000002
【特許請求の範囲】
【請求項１】
風を生起する送風ファンと、当該送風ファンを回転駆動するモータと、生起された風を加熱するヒータユニットと、高電圧印加時にイオンを生成する放電手段とを備えるドライヤであって、
前記放電手段の駆動中にヒータユニットによる加熱を間欠的に行うことを
特徴とするドライヤ。
【請求項２】
操作機構が操作された場合に、前記モータが回転駆動すると共に前記放電手段に高電圧が印加された後に、当該モータの回転駆動及び放電手段の放電に遅れてヒータユニットが風を加熱することを
特徴とする前記請求項１に記載のドライヤ。
【請求項３】
前記モータの回転駆動又は放電手段の放電開始からヒータユニットの加熱までの時間が、前記ヒータユニットによる加熱の間欠周期の加熱停止期間よりも短いことを
特徴とする前記請求項２に記載のドライヤ。
【請求項４】
操作機構が操作された場合に、前記モータが回転駆動すると共に前記放電手段に高電圧が印加し、さらに、ヒータユニットが風を加熱し、
当該ヒータユニットによる加熱開始の加熱期間が、前記ヒータユニットによる加熱の間欠周期の加熱期間よりも長いことを
特徴とする前記請求項１に記載のドライヤ。
【請求項５】
前記放電手段の電圧印加を間欠的に行うことを
特徴とする前記請求項１ないし４のいずれかに記載のドライヤ。
【請求項６】
前記ヒータユニットによる加熱の間欠周期の加熱期間の全期間又は一部期間で前記放電手段の電圧印加を行わず、前記ヒータユニットによる加熱の間欠周期の加熱停止期間の全期間又は一部期間で前記放電手段の電圧印加を行うことを
特徴とする前記請求項５に記載のドライヤ。
【請求項７】
前記ヒータユニットによる加熱期間に発光、発音、振動の少なくとも一つを行うヒータユニット用報知手段を備えることを
特徴とする前記請求項１ないし６のいずれかに記載のドライヤ。
【請求項８】
前記放電手段の電圧印加期間に発光、発音、振動の少なくとも一つを行う放電手段用報知手段を備えることを
特徴とする前記放電手段の電圧印加を間欠的に行う前記請求項７に記載のドライヤ。
【請求項９】
風洞部に配設される前記ヒータユニット用報知手段及び放電手段用報知手段が、前記送風ファンにより風を生起するために空気を吸い込む吸込口側に向けて発光することを
特徴とする前記請求項８に記載のドライヤ。
【発明の詳細な説明】
【技術分野】
【０００１】
本発明は、温風及び冷風を送出しつつマイナスイオンを放出するドライヤに関し、特に、温風動作中にヒータユニットによる加熱を制御するドライヤに関する。
【背景技術】
【０００２】
本発明のドライヤの背景技術となるものとして、特開２００４−２０８９３５号公報に開示されたドライヤがある。以下、この背景技術のドライヤについて説明する。
【０００３】
この背景技術のドライヤは、温風を送風して毛髪に温風を吐出する温風流路と、冷風を送風して毛髪に冷風を吐出する冷風流路とを有すると共に温風と冷風とを同時に送風するモードを有し、前記流路を通って吐出される送風と同じ方向にマイナスイオンを放出するイオン発生部を備えたものである。このように背景技術のドライヤによれば、温風と冷風とを同時に送風して髪に当てることにより毛髪を効果的にセットできると共にこのようにセットした毛髪にマイナスイオンを当てることにより髪の艶、しっとり感、さらさら感があるように整髪できるという効果がある。
【特許文献１】特開２００４−２０８９３５号公報
【発明の開示】
【発明が解決しようとする課題】
【０００４】
前記背景技術のドライヤは以上のように構成されるため、温風流路から送出される温風と冷風流路から送出される冷風との送出隣接部分で、温風流路から送出された温風により冷風流路から送出されたマイナスイオンを伴う冷風が加熱され、マイナスイオンがエネルギーを受けて利用者の髪に到達する前に蒸発し、又は、利用者の髪に到達しても高いエネルギーを有しており蒸発し易く、十分な髪の艶、しっとり感、さらさら感が得られないという課題を有する。
【０００５】
また、利用者の手振れにより冷風があたるべき部分に対してマイナスイオンを供給することができないという課題を有する。利用者が意識してマイナスイオンを目的部位に当てるようにすることも考えられるが、ノズルからの距離、風量によってマイナスイオンの送出範囲が変わり、利用者の操作で行うには困難が伴うという課題を有する。これは、冷風と温風とが同時に送出されていることが原因である。
【０００６】
また、冷風流路を構造的に形成しているので、冷風がまったく送出されない温風のみの送出を行うことができないという課題を有する。利用者によっては洗髪後は乾燥のみのために温風だけで使用したい場合もある。
【０００７】
本発明は、マイナスイオンを伴う冷風の加熱を抑制し、利用者の操作に依存することなく誰であっても、十分なマイナスイオンの供給を受けることができるドライヤを提供することを目的とする。また、前記目的を達成しつつ冷風が送出されない温風のみを送出できるモードを有するドライヤを提供することも目的とする。
【課題を解決するための手段】
【０００８】
本発明に係るドライヤは、風を生起する送風ファンと、当該送風ファンを回転駆動するモータと、生起された風を加熱するヒータユニットと、高電圧印加時にイオンを生成する放電手段とを備えるドライヤであって、前記放電手段の駆動中にヒータユニットによる加熱を間欠的に行うものである。このように本発明に係るドライヤによれば、ヒータユニットが加熱を放電手段の駆動中に間欠的に行うので、ヒータユニットの間欠周期の加熱停止期間中は前記放電手段により生成されたマイナスイオンが温風によりエネルギーを受けて蒸発することなく、温風又は冷風が切り替わりながら送出するため利用者が操作を特に留意しなくとも、髪に対して十分なマイナスイオンが供給され、髪の艶、しっとり感、さらさら感があるように乾燥又は整髪できるという効果を奏する。
【０００９】
また、本発明に係るドライヤは必要に応じて、操作機構が操作された場合に、前記モータが回転駆動すると共に前記放電手段に高電圧が印加された後に、当該モータの回転駆動及び放電手段の放電に遅れてヒータユニットが風を加熱するものである。このように本発明に係るドライヤによれば、モータの回転駆動が開始され、放電手段の放電が開始された後、所定時間経過後にヒータユニットの加熱が開始されるので、ドライヤから風が送出され始めて所定時間の間は放電手段により生成されたマイナスイオンを伴う冷風のみが送出され、大量のマイナスイオンを利用者の髪に供給してしっかりと髪に浸透させ、このマイナスイオンの浸透後にヒータユニットによる温風が送出され整髪を行うことができるという効果を有する。前記所定時間経過の開始時点は、正確には基準とするものにより異なり、操作機構が操作された時点を検出する場合にはかかる検出した時点であり、回路中のスイッチのスイッチ状態を検出する場合にはかかる検出した時点であり、開始時点を得るための方法により異なる。
【００１０】
また、本発明に係るドライヤは必要に応じて、前記モータの回転駆動又は放電手段の放電開始からヒータユニットの加熱までの時間が、前記ヒータユニットによる加熱の間欠周期の加熱停止期間よりも短いものである。このように本発明に係るドライヤによれば、モータが回転駆動し始めてからヒータユニットが加熱されるまでの時間、又は、放電手段が放電し始めてからヒータユニットが加熱されるまでの時間が、ヒータユニットが間欠的に加熱を行う場合の加熱停止期間よりも短いので、ドライヤから風が送出される開始直後に継続的に温風とせずに冷風とすることで大量のマイナスイオンを利用者の髪に供給することができると共に、かかる冷風のみが継続されるとマイナスイオンで帯電し却ってマイナスイオンの供給に悪影響を与え、及び、中々温風に切り替わらないことで利用者も整髪又は乾燥ができないという状況を回避することができ、特に、ヒータユニットによる加熱の間欠周期の加熱停止期間よりも短いということで利用者の不安又は不満を抑制することができるという効果を有する。
【００１１】
また、本発明に係るドライヤは必要に応じて、操作機構が操作された場合に、前記モータが回転駆動すると共に前記放電手段に高電圧が印加し、さらに、ヒータユニットが風を加熱し、当該ヒータユニットによる加熱開始の加熱期間が、前記ヒータユニットによる加熱の間欠周期の加熱期間よりも長いものである。このように本発明によれば、操作機構の操作により、モータの回転駆動、放電手段への電圧印加及びヒータユニットの加熱が開始され、当該ヒータユニットの加熱開始直後の加熱期間が、ヒータユニットが間欠的に加熱する場合の加熱期間よりも長いので、モータの回転駆動、放電手段への電圧印加及びヒータユニットの加熱の開始により通常の温風が送出され、かかる温風により利用者の髪を乾燥させ、マイナスイオンが付着しやすい状態にしてマイナスイオンを伴う冷風を供給して乾燥した髪に付着させてマイナスイオンが円滑に浸透し易くし、髪に艶を出し、髪をしっとり、さらさらとすることができるという効果を有する。洗髪後の髪は確かに濡れており保水性があるように見えるが、マイナスイオンと異なり水の塊が大きくて髪の皮質及び毛髄まで到達しておらず、髪を乾かした後の保水性に劣る。したがって、一端髪を乾かし、髪をプラスに帯電させた状態とすることで、マイナスイオンを供給を円滑にしている。また、洗髪後でなくとも、湿度が高い場合でも同様に作用する。
【００１２】
また、本発明に係るドライヤは必要に応じて、前記放電手段の電圧印加を間欠的に行うものである。このように本発明によれば、前記ヒータユニットの加熱を間欠的に行うだけでなく、放電手段への電圧印加が間欠的になされるので、ヒータユニットの加熱の間欠周期の加熱停止期間があるため、放電手段により生成されたマイナスイオンが大量に供給され過剰に帯電し折角のマイナスイオンが無駄になるという状況を回避することができ、適量なマイナスイオンを供給して帯電することなく効率的にマイナスイオンを髪に浸透させることができるという効果を有する。より詳細には、マイナスイオンの供給過剰とは、マイナスイオンが既に付着している髪に重複してマイナスイオンが付着することになり表層部分のマイナスイオンは髪に到達しない程過剰なことをいい、かかる表層部分のマイナスイオンは結局のところ常温の空気からエネルギーを得て蒸発して髪から離反していくこととなる。
【００１３】
また、本発明に係るドライヤは必要に応じて、前記ヒータユニットによる加熱の間欠周期の加熱期間の全期間又は一部期間で前記放電手段の電圧印加を行わず、前記ヒータユニットによる加熱の間欠周期の加熱停止期間の全期間又は一部期間で前記放電手段の電圧印加を行うものである。このように本発明に係るドライヤによれば、前記ヒータユニットによる間欠的な加熱は加熱期間と加熱停止期間があり、前者加熱期間で放電手段の電圧印加を行わずに前記過剰なマイナスイオンによる帯電を防止しつつ、水分子に対して温風によってエネルギーを与えて蒸発させ不要なマイナスイオンを離反させ（既に髪に浸透しているマイナスイオンは温風では蒸発しない）、一方、後者加熱停止期間で放電手段の電圧印加を行い大量のマイナスイオンを前記温風にて付着し易い状態にある髪に対して供給しており、不要なマイナスイオンが生成されず効率的な動作を行うことができるという効果を有する。ここで、加熱期間の全期間で放電手段の電圧印加を行い、加熱停止期間の全期間で放電手段の電圧印加を行わない場合が望ましいが、加熱期間の一部期間で放電手段の電圧印加を行い、加熱停止期間の一部期間で放電手段の電圧印加を行わない場合であっても、多少の効果を享受することができる。
【００１４】
また、本発明に係るドライヤは必要に応じて、前記ヒータユニットによる加熱期間に発光、発音、振動の少なくとも一つを行うヒータユニット用報知手段を備えるものである。このように本発明に係るドライヤによれば、ヒータユニット用報知手段が備えられ、ヒータユニットの加熱の間欠周期の加熱期間及び間欠周期以外の加熱期間で当該ヒータユニット用報知手段が報知するので、温風及び冷風を体感で確認する以外に、利用者が前記加熱期間を視覚、聴覚、触覚の少なくとも一つで追加的に確認することができるという効果を有する。皮膚に直接温風が送出されている場合には利用者もすぐに気がつくが、髪にのみ送出する場合には髪には温度感覚機能がないため、温風へ切り替わったことに気づくのに時間がかかるため、前記発光手段があることにより迅速に温風への切り替わりに気づくことができ、ドライヤを適切に使いこなすことができる。温風と異なり、振動はドライヤを握っている手に伝わるため、利用者は確実に認識することができる。
【００１５】
また、本発明に係るドライヤは必要に応じて、前記放電手段の電圧印加期間に発光、発音、振動の少なくとも一つを行う放電手段用報知手段を備えるものである。このように本発明に係るドライヤによれば、前記放電手段用報知手段を備え、当該放電手段用報知手段が前記放電手段の電圧印加期間に報知するので、利用者が前記加熱期間を視覚で確認するだけでなく、放電期間をも視覚、聴覚、触覚の少なくとも一つで追加的に確認することができ、特に放電期間中であっても人はマイナスイオンの放出を受けても体感することができないため、別途視覚、聴覚、触覚にてマイナスイオンが放出することを知った上で効率的な使用が可能となるという効果を有する。
【００１６】
また、本発明に係るドライヤは必要に応じて、風洞部に配設される前記ヒータユニット用報知手段及び放電手段用報知手段が、前記送風ファンにより風を生起するために空気を吸い込む吸込口側に向けて発光するものである。このように本発明に係るドライヤによれば、前記ヒータユニット用報知手段及び放電手段用報知手段が吸込口側に向けて発光するので、使用者はドライヤーを使用する場合には洗面台の鏡と対面して使用しており、かかる使用においては多くの場合に吸込口側が鏡に映し出された状態にあり、かかる吸込口に報知手段のうち発光するものを設けることで利用者が確実に視認することができ、利便性がよいとの効果を有する。
【発明を実施するための最良の形態】
【００１７】
（本発明の第１の実施形態）
本発明の第１の実施形態に係るドライヤについて、図１ないし図４に基づき説明する。図１は本実施形態に係るドライヤの断面図、図２は本実施形態に係るドライヤの断面説明図及び要部拡大図、図３は本実施形態に係るドライヤの回路図及び図４は本実施形態に係るドライヤのタイミングチャートである。
前記各図において本実施形態に係るドライヤは、風を生起する送風ファン１と、この送風ファン１を回転駆動するモータ１０と、生起された風を加熱するヒータユニット２０と、高電圧印加時にイオンを生成する放電手段５０とを備えるドライヤであって、前記放電手段５０の駆動中にヒータユニット２０による加熱を間欠的に行う構成である。
【００１８】
図１に示すように、吹出口２の先端にはこの吹出口２から送出される温風を整流するノズル３が配設され、吹出口２及び風洞部３１を形成するケース本体３０にヒータユニット２０、モータ１０及び送風ファン１が内設され、ケース本体３０の後部と接続する吸込口４がファン１へ空気が流入可能に網目状に形成された構成である。ケース本体３０の吸込口２側寄り底部部分に枢設されたグリップ４０の正面に上下方向にスライド可能なスライドノブ４１が配設されている。グリップ４０部分は枢軸を中心にケース本体３０側に傾動し、折り畳み可能となっている。このグリップ４０の底部部分は電源コード５の一端が挿設され、グリップ４０内部の電子回路を介して前記ヒータ線２１、モータ１０及び放電手段５０と電気的に接続している。
【００１９】
前記ヒータユニット２０は、電気を熱に変えるヒータ線２１と、このヒータ線２１がスパイラル状に配設されたマイカ（雲母）からなるヒータ基枠２２とからなる。ヒータ線２１が巻回されたヒータ基枠２２は、耐熱性のプラスチックで円筒状に成形されたケース本体３０の内面に形成された風洞部３１の長手方向の複数溝に嵌め合わせられ固定されている。ケース本体３０の内部には、このヒータ線２１、ヒータ基枠２２の他に、放電電極５１、トランス５２及びパルス発生回路５３からなる放電手段５０が内蔵されており、スライドノブ４１の後記する１段階目、２段階目、３段階目の各スライド位置で放電手段５０が駆動してマイナスイオンを発生し、モータ１０の駆動による送風ファン１の回転により生じる風に乗って吹出口２から冷風又は温風と共にマイナスイオンが放出される。ここで、前記ケース本体３０とヒータ基枠２２との間には円筒状に形成された金属製の断熱体が配設され、この断熱体によりケース本体３０の加熱を防止し、熱伝導による局所的加熱を防止し、さらに、輻射熱を反射させることができる。
【００２０】
前記放電手段５０は、図２に示すように、ケース本体３０の吹出口２周辺部分の内部に内蔵されている放電電極５１、トランス５２及びパルス発生回路５３からなり、マイナスイオンを発生させている。詳細には、針状の放電電極５１の周囲に絶縁部材５４を形成し、この絶縁部材５４の周囲に放電電極５１の対向電極５５を配設し、前記絶縁部材５４により放電電極５１と対向電極５５とが離間した状態となっている。さらに、放電電極５１の先端には、筒状の絶縁筒５６が形成され、前記絶縁部材５４と同様に、対向電極５５との大電流により生じる火花放電を阻止して１ないし１００[μｍ]程度の小電流を発生させて気体中でのコロナ放電を実現している。放電電極５１と対向電極５５との間で絶縁筒５６に沿ってコロナ放電が生じて多量な電子が放出され、送風ファン１の回転により生起された風が風洞部３１を通ってかかる風の中の酸素と電子とが衝突し、酸素がマイナスイオン化されてノズル３先端から放出される。このように絶縁筒５６で針状の放電電極５１を覆うことで、コロナ放電が均一に生じて酸素がオゾン化することなく、放電電極５１の長寿命をも図ることができる。
【００２１】
グリップ４０にはスライドノブ４１がスライド可能でOFF状態を除いて３段階に切り替え可能に配設されている。スライドノブ４１を１段階目にスライドさせると温風でない送風状態となってマイナスイオンが放出される。スライドノブ４１を２段階目にスライドさせると温風で小風量の小温風状態となってマイナスイオンが放出される。スライドノブ４１を３段階目にスライドさせると温風で大風量の大温風状態となってマイナスイオンが放出される。
【００２２】
回路図は、図３に示すように、交流電源６１に対して前記スライドノブ４１のスライド操作により開閉する第１のスイッチ６２が直列に接続する。第１のスイッチ６２はダイオード６３と直列に接続し、このダイオード６３に前記スライドノブ４１のスライド操作により開閉する第２のスイッチ６４が並列に接続する。ダイオード６３は全波整流するダイオードブリッジ６５と接続し、このダイオードブリッジ６５にモータ１０を接続し、このモータ１０に平滑コンデンサ６６を接続する。ダイオードブリッジ６５は高温度防止のヒューズ６７及び抵抗６８を介して交流電源６１と接続する。
【００２３】
前記第１のスイッチ６２には、前記スライドノブ４１のスライド操作により開閉する第３のスイッチ６９が直列に接続する。第３のスイッチ６９は半波整流するダイオード７０と直列に接続し、このダイオード７０に前記スライドノブ４１のスライド操作により開閉する第４のスイッチ７１が並列に接続する。ダイオード７０には安全の観点から高温化防止のサーモスイッチ７２が直列に接続する。このサーモスイッチ７２には、第５のスイッチ７３を介してヒータ線２１が直列に接続する。この第５のスイッチ７３はヒータ制御回路７４によりスイッチングを行う。ヒータ制御回路７４は、印加電圧を下げる降圧回路７５を介して第１のスイッチ６２と接続して交流電源６１から電流の供給を受ける。
【００２４】
ヒータ線２１と並列に抵抗７６及び発光ダイオード７７が接続し、発光ダイオード７７はヒータ線２１の導通の度に点灯する。ヒータ線２１は高温度化防止のヒューズ７８を介して交流電源６１と接続する。ここで、発光手段としては発光ダイオード７７を用いたが、ほかに、白熱電球、ハロゲン電球等の各種電球、発光ダイオード以外の電界発光素子（エレクトロミネッセンス）、半導体レーザ等の各種レーザを用いることができる。
【００２５】
第１のスイッチ６２には第６のスイッチ７９も直列に接続している。第６のスイッチ７９は整流回路８０と接続し、整流された電流を直列に接続するパルス発生回路５３に供給している。パルス発生回路５３では供給された電流からパルスを発生しトランス５２にパルスを供給している。トランス５２では、コロナ放電に必要な電圧にパルスを変圧し、放電電極５１及び対向電極５５に変圧後の電圧を印加している。整流回路８０としては、例えば、ダイオードと抵抗で半波整流回路を形成することができ、さらに、半波整流後の脈流電圧を平滑するコンデンサを接続することもできる。パルス発生回路５３としては、トランス５２の１次側コイルとコンデンサを直列接続し、このトランス５２の１次側コイルと並列に所定電圧が印加されている間のみスイッチングして投入状態を維持するサイダックを接続したものがある。こうすることで、コンデンサに電圧が印加されて所定電圧に到達後サイダックが投入状態になってコンデンサに蓄積された電荷を開放し、所定電圧以下になった時点でサイダックが開放状態になってコンデンサに電荷が蓄積されるという一連の動作を繰り返してパルス波形を出力している。このようなパルス発振回路５３の他に、一般的に使用される水晶発振子を用いたパルス発振回路、複数のフリップフロップを用いたパルス発振回路を用いることもできる。また、必要なパルスを得るために、適宜分周回路を用いる。
【００２６】
前記ヒータ制御回路７４は、パワートランジスタ、サイリスタ等の半導体素子からなる第５のスイッチ７３を制御信号を出力してスイッチングさせる。このヒータ制御回路７４は、スライドノブ４１のスライド位置に対応して制御信号を出力する。スライドノブ４１が１段階目にある場合には、ヒータ制御回路７４は制御信号を出力しない。これは第３のスイッチ６９が投入されていないため、ヒータ線２１が導通せず第５のスイッチ７３をスイッチング制御する必要がないからである。スライドノブ４１が２段階目及び３段階目にある場合には、ヒータ制御回路７４は図４に示すように０．１秒以上の周期の制御信号を出力し、第５のスイッチ７３もこの出力された制御信号に従い、０．１秒以上の周期毎に投入状態、開放状態を繰り返して、ヒータ線２１への導通、不導通を繰り返している。ヒータ制御回路７４は、マイクロスイッチ（図示しない）によりスライドノブ４１が現在どのスライド位置にあるかを判別している。マイクロスイッチ以外のメカスイッチを用いてもよいし、近接スイッチ、光電スイッチ、リードスイッチを用いてスライドノブ４１の現在のスライド位置を判別可能としてもよい。他に、ヒータ制御回路７４が、スライドノブ４１のスライド位置を判別する方法としては、回路から判別する方法があり、スライドノブ４１のスライド位置に応じて、各スイッチのスイッチ状態が変化するため、かかるスイッチ状態をヒータ制御回路に出力することで検出することもできる。さらに、スイッチのスイッチ状態だけでなく、スイッチに伴って電圧レベルが変化する電線ラインの電圧レベルを検出することによっても、スライドノブ４１のスライド位置を間接的に判別することができる。
【００２７】
ヒータ制御回路７４の出力信号において、図４中時刻（t1-2）から時刻（t1-4）までが出力周期の一周期であり、時刻（t1-2）から時刻（t1-3）までが出力期間であり、時刻（t1-3）から時刻（t1-4）までが出力停止期間である。また、ヒータ線２１においては、図４中時刻（t1-2）から時刻（t1-4）までが間欠周期の一周期であり、時刻（t1-2）から時刻（t1-3）までが加熱期間であり、時刻（t1-3）から時刻（t1-4）までが加熱停止期間である。例えば、間欠周期の一周期が８[秒]であり、加熱期間が４[秒]、加熱停止期間が４[秒]とすることができる。ここで示した時間は例示であり、どのような時間設定を行うこともできるが、前記周期、時間が０．１[秒]未満になると、風洞部３１内の温度が十分に低下することができず、適切な冷風を送出できないので、設定する時間は０．１[秒]以上が望ましい。また、ドライヤの使用時間は、使用者の髪の長さ、髪質によって異なるが、前記周期、時間が１０[分]以上になると、使用者の中には使い終えてしまう使用者も少なくなく、本実施形態に係るドライヤ特有の動作を受けることができない場合もあるため、設定する周期、時間は１０[分]未満が望ましい。さらに、一般的な使用者は頭の所定部分を集中的に乾燥させて、他の部位を乾燥させるのではなく、各部位を満遍なく回しながら全体的に乾燥させるのであるが（局所的に乾燥させると頭皮が熱くなり、また、髪自体もダメージを受ける）、この各部位を一通り回す時間は使用者の髪質、髪の長さ等によって異なるが、数十秒ないし数分程度であり、この程度の時間を間欠周期、加熱期間、加熱停止期間とすることがより好ましい。各部位を一通り回す時間に合わせることで、１回目は乾燥、２回目はマイナスイオンの浸透、３回目は乾燥、４回目はマイナスイオンの浸透、・・・・・、といった具合に使用することができる。このような使用をする場合には、図４に示すように加熱期間と加熱停止期間とが同程度の時間であることが好ましい。図４ではヒータ制御回路７４の制御信号の出力波形と、ヒータ線１１の出力波形とが完全に同期しているが（電圧レベルは異なる）、図４に示すようなヒータ線１１の間欠的な出力波形を得ることができれば（パルス波に限らない）、ヒータ制御回路７４の制御信号の出力波形はどのようなものであってもよく、例えば、ヒータ制御回路７４の出力期間、出力停止期間は前記ヒータ線１１の加熱期間、加熱停止期間に比べて十分に小さなトリガ信号であってもよい。すなわち、トリガ信号が出力される度に第５のスイッチ７３のスイッチング状態が変わる構成であり、トリガ信号の出力期間、出力停止期間自体は直接スイッチングには関与しない構成である。
【００２８】
図２（ａ）は、本実施形態に係るドライヤと回路の要素素子（特にスイッチ）との関係を、導通ラインの接続状態を交えて説明するものであるが、図２（ａ）のスライドノブ４１から伸びる点線は、ナイフスイッチであることを限定的に示しているのではなく、スライドノブ４１のスライドにより各スイッチがスイッチングしていることを示している。ヒータ制御回路７４から伸びる点線も同様なことを示している。
【００２９】
また、図４に示すように、スライドノブ４１は時刻（t1-1）にスライドされ、モータ１０も駆動状態になっているにも拘らず、ヒータ線１１は導通されておらず、すなわち、ヒータ制御回路７４の制御信号の出力期間となっておらず時刻（t1-2）になってようやく出力期間となっており、言い換えれば、操作機構であるスライドノブ４１が操作された場合に、前記モータ１０が回転駆動すると共に前記放電手段５０を構成する放電電極５１に高電圧が印加された後に、このモータ１０の回転駆動及び放電電極５１の放電に遅れてヒータユニット２０が生起された風を加熱する構成である。利用者の髪はドライヤを使用する前はマイナスイオンが付着しておらず、乾燥状態においては逆にプラスに帯電している。したがって、ドライヤの使用開始直後は、マイナスイオンが利用者の髪上で帯電しておらず、ドライヤから放出されるマイナスイオンがよく付着し浸透する状態となっているため、ドライヤの使用開始直後、特に、髪を乾燥させる場合よりも整髪する場合には、ヒータユニット２０で生起された風を加熱することなく、冷風の状態で利用者に対してマイナスイオンを放出することが望ましい。  ヒータ制御回路７４は、前記マイクロスイッチによりスライドノブ４１が２段階目又は３段階目にスライドしたことを検出しこの検出した時刻を時刻（t1-1）とし、かかる時刻（t1-1）からタイマを用いて所定時間経過したことをさらに検出し時刻（t1-2）になって手動でなく自動的に出力期間の制御信号を出力している。タイマとしては、コンデンサと抵抗を組み合わせたもの、半導体素子を用いたもの等を使用できる。このタイマは、ヒータ制御回路７４内にあってもよいし、ヒータ制御回路７４外にあってもよい。
【００３０】
さらに、図４においては、時刻（t1-1）から時刻（t1-2）までの加熱開始待機時間が、前記ヒータ線１１の加熱停止期間と比べて小さいものであり、言い換えれば、モータ１０が回転駆動し始めてからヒータユニット２０が加熱されるまでの時間が、ヒータユニット２０が間欠的に加熱を行う場合の加熱停止期間よりも短い構成となっている。前記間欠周期の一周期を８[秒]と例示した場合には、加熱開始待機時間は例えば、２[秒]とすることができる。ここでも、前記間欠周期、加熱期間、加熱停止期間と同様な理由で、加熱開始待機時間は０．１[秒]ないし１０[分]であることが望ましい。利用者は、スライドノブを２段階目又は３段階目にスライドさせて、当然温風がでることを期待しているにも拘らず、開始直後から継続して温風がでない場合には、ドライヤの故障ではないかと認識する可能性もあり、また、かかる動作が本発明を適用を受けたドライヤだと認知している利用者であっても、乾燥する場合に冷風が継続して送出されているのは望ましくなく、図４のように、ヒータ線１１の加熱停止期間と比べて短い時間に加熱開始待機時間を設定すれば、利用者はさほど長く感じず快くして本実施形態に係るドライヤーにより、開始直後に十分なマイナスイオンを受けることができる。
【００３１】
前記ヒータ線２１には、抵抗７６及び発光ダイオード７７が並列に接続されているため、ヒータ線２１に電流が流れると抵抗７６側にも小電流が流れて発光ダイオード７７にも流れ発光する。すなわち、ヒータ線２１の加熱に合わせて、発光ダイオード７７も発光する。前記ヒータ制御回路７４による第５のスイッチ７３のスイッチング制御がなければ、小温風モード及び大温風モード時に継続して発光することになり特段の効果を有しないが、ヒータ制御回路７４は第５のスイッチ７３をスイッチング制御し、ヒータ線２１への電圧印加が間欠的となり、吹出口２が送出される風も温風、冷風の交互の送出となるため、前記発光ダイオード７７の発光も点灯、消灯の交互の動作となって、温風、冷風へ切り替わりながらの風の送出を体感するだけでなく視認することができ、その体感又は視認に合わせて利用者がノズル３方向を変えて使用することができる。すなわち、利用者は、冷風の場合にはマイナスイオンが大量に放出され、温風の場合にはマイナスイオンは放出されるものの蒸発して髪に定着しないことを認識しているので、冷風時には髪の中でマイナスイオンを供給した部位にノズル３先を向け、温風時には髪の中で乾燥させたい部位または整髪させたい部位にノズル３先を向けて使用することができる。この場合に、温度の体感は、ヒータ線２１が加熱され風が加熱され風が吹出口２から送出され、温風を皮膚で感じるという過程を経るので若干のタイムラグがあるが、ヒータ線２１への導通と共に発光ダイオード７７を発光させれば略同時に報知することができ、利用者はより円滑にドライヤのノズル先の向きを変えることができる。
【００３２】
前記図１に示すように、小温風モード及び大温風モードにてヒータ線２１に間欠的に電圧が印加されるか否かを決定する間欠状態切替手段であるスライドノブ４２がグリップ４０の背面側に設けられており、このスライドノブ４２を上側にスライドさせることで、第５のスイッチ７３に並列に接続するスイッチ４３が投入状態となって、小温風モード及び大温風モードにおいてもヒータ線２１に間欠的に電圧が印加されることがなくなり連続して電圧が印加され、そうして連続して温風が継続して送出される。逆に、スライドノブ４２を下側にスライドさせることで、小温風モード及び大温風モードでヒータ線２１に間欠的に電圧が印加される。このようなスライドノブ４２を設けることで、利用者によっては冷風を伴わず集中的に髪を乾燥、整髪し、その後にマイナスイオンを効果的に供給できる間欠的な動作を受けたいと考える利用者もおり、複雑な利用者の要求を満たすことができる。ここでは、前記スイッチ４３が投入状態となることで、第５のスイッチ７３のスイッチング動作がヒータ線２１への電流供給という面ではなんら影響を及ぼさないとしたが、第５のスイッチ７３のスイッチング動作を制御しているヒータ制御回路７４がスライドノブ４２のスライド位置をマイクロスイッチ等で判別し、制御信号の出力の有無を決定することでも同様のヒータ線２１への電流供給を実現することができる。
【００３３】
次に、本実施形態に係るドライヤの利用動作について説明する。利用者は、電源プラグ６を電源コンセント（図示しない）に差し込んだ後、スライドノブ４１を１段階目に押し上げる。そうすると、第１のスイッチ６２、第２のスイッチ６４及び第６のスイッチ７９が投入状態となって、交流電源６１からの電流が第２のスイッチ６４を介してダイオードブリッジ６５に供給され全波整流され、コンデンサ６６で平滑されモータ１０に供給され、モータ１０が駆動し、前記ファン１が回転し、吸込口４から外気を取り入れ、羽根で圧縮された空気が風洞部３１を通って送風モードの風が吹出口２から送出される。第３のスイッチ６９が投入されていないため、ヒータユニット２０に電力が供給されず加熱されないが、第６のスイッチ７９が投入されているため、整流回路８０により整流された電流がパルス発生回路５３に流れ、パルス発生回路５３でパルスが生じてトランス５２で昇圧された後、放電電極５１に−４[ｋＶ]程度の電圧が印加され、対向電極５５と共にコロナ放電を生じさせる。したがって、前記ファン１で生起された風中の酸素分子がコロナ放電中の電子と衝突しさらに水分子と結合してマイナスイオンとなってノズル３から放出される。この送風モードにおいては、第３のスイッチ６９が投入状態になっておらずヒータ線２１が導通せずに、同様に発光ダイオード７７にも電流が供給されず発光しない。
【００３４】
利用者がスライドノブ４１をさらに１段階押し上げることで２段階目に位置する。そうすると、第２のスイッチ６４が開放状態に移行し、第１のスイッチ６２、第３のスイッチ６９及び第６のスイッチ７９が投入状態となって、今度は第２のスイッチ６４を介さずダイオード６３を介して半波整流されてダイオードブリッジ６５に供給され全波整流され、コンデンサ６６で平滑されモータ１０に供給され、モータ１０が駆動する。それと共に、第３のスイッチ６９が投入状態になっていることからダイオード７０に供給されて半波整流され、常閉式で投入状態となっているサーモスイッチ７２を介して第５のスイッチに電流が流れ込むが、スライドノブ４１が２段階目にスライドされヒータ制御回路７４に検出された時刻（t1-1）から時刻（t1-2）までの間は投入状態となっておらずヒータ線２１に電流が供給されずヒータ線２１が加熱されることなく、モータ１０の駆動によりファン１が回転して風洞部３１内部を通る風も加熱されず、冷風が吹出口２から送出される。ただし、第６のスイッチ７９が投入されていることから、マイナスイオンは放出される。時刻（t1-2）になると、手動でなく自動的にヒータ制御回路７４から出力期間の制御信号が出力され、第５のスイッチ７３が投入状態となって、ヒータ線２１に電流が供給されヒータ線２１が加熱され、モータ１０の駆動によりファン１が回転して風洞部３１内部を通る風も加熱され、温風が吹出口２から送出される。時刻（t1-3）になると、手動でなく自動的にヒータ制御回路７４から出力停止期間の制御信号が出力され、第５のスイッチがスイッチングして、再び、開放状態となって、ヒータ線２１に電流が供給されずヒータ線２１が加熱されることなく、冷風が吹出口２から送出され、この状態が時刻（t1-4）まで継続される。時刻（t1-4）以降は、スライドノブ４１がオフ位置までスライドされる時刻（t1-6）までは、時刻（t1-2）ないし時刻（t1-4）までの動作が手動でなく自動的に繰り返しなされる。この小温風モードにおいては、第３のスイッチ６９が投入状態になっておりヒータ線２１が間欠的に導通し、このヒータ線２１の間欠的な導通に同期して発光ダイオード７７にも電流が供給され発光がなされる。なお、前記送風モードと異なり、ダイオード６３を介して半波整流後にモータ１０に電力供給されることから、モータ１０の出力が落ち送風モードより送風量が小さくなる。ここで、各時刻から次の時刻までの時間は、タイマー回路を用いたり、パルス発信回路を分周回路で分周させたり、マイクロコンピュータにクロック信号を出力して測定することができる。
【００３５】
利用者がスライドノブ４１をさらに１段階押し上げることで３段階目に位置する。そうすると、第１のスイッチ６２、第２のスイッチ６４、第３のスイッチ６９、第４のスイッチ７１及び第６のスイッチ７９が投入状態となって、モータ１０には送風モードの電力供給がなされる。また、ヒータ線２１もダイオード７０を介さず第４のスイッチ７１を介して電圧が印加されることから半波整流がなくヒータ線２１への供給電力が大きくなってヒータ線２１の出力も大きくなる。したがって、送風モードの送風量で、小温風モードの温度で温風が大温風モードとして吹出口２から送出される。また、第６のスイッチ７９が投入されていることから、マイナスイオンも放出される。さらに、前記小温風モードと同様に、手動でなく自動的にヒータ制御回路７４より制御信号が出力され、間欠的にヒータ線２１が導通し、間欠的な温風が吹出口２から送出される。この大温風モードにおいても、前記小温風モードと同様に、ヒータ線２１の間欠的な導通に同期して発光ダイオード７７にも電流が供給され発光がなされる。ここで、小温風モードと大温風モードの温風を発光にて区別することもでき、それぞれ別途の発光ダイオードを設ける他、発光ダイオードの輝度を変化させて利用者に識別させることもできる。
【００３６】
このように本実施形態に係るドライヤによれば、放電電極５１及び対向電極５５へ電圧を印加している間にヒータ線２１への導通を手動でなく自動的に間欠的に行うので、ヒータ線２１の間欠周期の加熱停止期間中は前記放電電極５１及び対向電極５５により生成されたマイナスイオンが温風によりエネルギーを受けて蒸発することなく、利用者が特別な操作をしなくとも、髪に対して十分なマイナスイオンが供給され、髪の艶、しっとり感、さらさら感があるように乾燥又は整髪できる。また、スライドノブ４１が２段階目又は３段階目にスライドされ、モータ１０が回転し始め、放電電極５１の電圧が印加され始めた後、所定時間経過後にヒータユニット２０の加熱が手動でなく自動的に開始されるので、ドライヤから風が送出され始めて所定時間の間は前記放電電極５１及び対向電極５５により生成されたマイナスイオンを伴う冷風のみが送出され、ドライヤ使用開始前の利用者の髪に大量のマイナスイオンを供給してしっかりと髪にマイナスイオンを付着、浸透させ、このマイナスイオンの浸透後にヒータユニットによる温風が送出され整髪を行うことができる。また、モータ１０が回転駆動し始めてからヒータ線２１に導通されるまでの時間が、ヒータ線２１が間欠的に加熱を行う場合の加熱停止期間よりも短いので、ドライヤから風が送出される開始直後に継続的に温風とせずに冷風とすることで大量のマイナスイオンを利用者の髪に供給することができるものの、かかる冷風のみが継続されるとマイナスイオンが過剰に供給され利用者の髪に積層されたマイナスイオンの表層側から順に蒸発し却って折角のマイナスイオン無駄となり、さらに、なかなか温風に切り替わらないことで利用者も整髪又は乾燥ができないという状況を回避することができ、特に、ヒータ線２１の間欠周期の加熱停止期間よりも短いことで利用者を相対的に納得させることができる。言い換えると、加熱停止期間よりも短期間の構成でも利用者が満足しない場合には後続のヒータ線２１の間欠周期にも納得しておらず、逆にいえば、利用者が後続のヒータ線２１の間欠周期に納得していれば、当然それより短い時間冷風状態が継続されることも納得するからである。利用者が満足しない場合には、加熱停止期間の設定が間違っている可能性があり、この加熱停止期間を消費者が納得するレベルにする必要があり、それに合わせて、モータ１０が回転駆動し始めてからヒータ線２１に導通されるまでの時間を調整すればよい。
【００３７】
なお、本実施形態に係るドライヤにおいては、前記間欠周期の時間を調整するダイヤル、スイッチ等の周期調整手段を設けることもでき、利用者が自己の髪質に合わせて間欠周期の時間を調整し用いることができる。髪質だけでなく、髪は湿度によっても乾燥の度合いが異なるため、微調整が必要となる。ここで、前記周期調整手段を設けることなく、電子回路で周期調整手段を実装し、自動的に間欠周期の時間を調整する構成にすることもできる。
【００３８】
また、本実施形態に係るドライヤにおいては、間欠周期の加熱期間と加熱停止期間との割合を調整するダイヤル、スイッチ等の割合調整手段をグリップ４０に設けることもでき、利用者が自己の髪質に合わせて加熱期間と加熱停止期間との割合を調整して用いることができる。髪質だけでなく、髪は湿度によっても乾燥の度合いが異なるため、微調整が必要となる。具体的な使用形態としては、洗髪し髪を乾かす場合には加熱期間の割合を大きくし髪の乾燥を重点的に行い、髪が乾燥してきた場合又は整髪する場合には加熱停止期間の割合を大きくし髪にマイナスイオンを付着、浸透させることを重点的に行うことができる。ここで、スライドノブ４１のスライド位置として髪を乾燥させる位置、髪を整髪させる位置、髪をケアする位置が用意されている場合には、髪を乾燥させる位置の場合に加熱期間の割合を大きくした間欠周期で動作させ、それ以外の位置の場合には加熱停止期間の割合を大きくした間欠周期で動作させる構成にすることもでき、使用状況に合わせて適切な風を供給することができる。具体的には、本実施形態では２段階目のスライド位置が髪を整髪させる（髪を癖付けしセットする）位置であり、３段階目のスライド位置が髪を乾燥させる位置である。２段階目のスライド位置にある場合には図５（ａ）に示すように、加熱期間を時刻（t1-2）から時刻（t1-3）までの時間とし、加熱停止期間を時刻（t1-3）から時刻（t1-4）までの時間とし、加熱停止期間を加熱期間の３倍とし十分マイナスイオンで髪をケア可能とした。一方、３段階目のスライド位置にある場合には図５（ｂ）に示すように、加熱期間を加熱停止期間の３倍とし十分髪を乾燥できるようにした。さらに、前記周期調整手段を設けることなく、ヒータ制御回路７４が自動的に間欠周期の時間を調整する構成にすることもできる。例えば、髪を乾燥させる位置にスライドノブ４１がある場合に始めは加熱期間の割合を大きくし、経過時間に伴って漸次割合を小さくしていくとで、髪を乾燥させつつ最終的には潤いがある髪に仕上げることができる。他に、髪を整髪させる位置、髪をケアする位置にスライドノブ４１がある場合に始めは加熱停止期間の割合を大きくし、十分にマイナスイオンを付着し浸透させ、漸次加熱停止期間の割合を小さくすることで、マイナスイオンの帯電を回避しつつ整髪又はケアを実現することができる。
【００３９】
また、本実施形態に係るドライヤにおいては、間欠周期の加熱停止期間に合わせて、モータ１０に印加する電圧を小さくし（モータの電圧制御法に限らず、界磁制御法、抵抗制御法等の他の制御法であってもよい）、回転数を減らし吹出口２からの風量を小さくする構成にすることもでき、加熱停止期間においてはマイナスイオンの供給により髪にうるおいを与えることが目的であり、この場合に大きな風量でマイナスイオンが乗った風を供給してもマイナスイオンが広い方向に放出され、十分に髪に付着できないこととなるが、このようにマイナスイオンの供給の場合に風量を小さくすることで、確実にマイナスイオンを供給することができる。このようなモータの回転数を減らす場合には回転数を徐々に印加電圧を下げて漸次モータの回転数を減らすことが望ましく、このことよりモータの回転数の変化に伴う音、振動を抑制することができる。
【００４０】
また、本実施形態に係るドライヤにおいては、発光ダイオード７７の発光をヒータ線２１の加熱よりも若干（例えば、数秒以下から０．１秒以上）早く発光する構成にすることもでき、発光ダイオード７７の発光を利用者が見て乾燥又は整髪させたい部位にドライヤのノズル３先を向ける余裕を利用者に与えることができる。
【００４１】
また、本実施形態に係るドライヤにおいては、温風が送出されていることを報知する手段としては発光手段である発光ダイオード７７を用いたが、ブザー又はスピーカー等の発音手段、又は、バイブレーター等の振動手段を発光手段の代替として用いることもでき、また、重畳して用いることもできる。発光手段は利用者が鏡を用いず使用している場合、鏡を使用していても髪の後ろ側でドライヤーを使用して鏡に映らない場合には、利用者に確実に報知することが難しいが、かかる場合であっても、発音手段又は振動手段によって確実に利用者に認識させることができる。より好ましくは、発光手段、発音手段、振動手段のうち少なくとも２つ以上の手段を用いることで必ず利用者に認識させることができる。
【００４２】
また、本実施形態に係るドライヤにおいては、手動でなく自動的にヒータ制御回路７４が制御信号を出力し、第５のスイッチ７３のスイッチ状態を変更し、ヒータ線２１への電流供給の有無を決定し、それに応じて送出される風も温風となったり冷風となったりするが、使用者自らスライドノブ４１を１段階目から２段階目へ、２段階目から１段階目、１段階目から３段階目、又は、３段階目から１段階目へスライドさせ、風の温風、冷風を調整することができ、ドライヤはかかるスライドノブ４１のスライド動作を使用者に促すべく、発光ダイオード等の報知手段にて報知するのみという構成にすることもでき、使用者自ら所望の動作を行わせることができると共に、望ましいスライドのさせ方をドライヤが報知することで、使用者の要求と設計者の意図とが合致した理想的な動作を実現することができる。図４で示したヒータ制御回路７４の制御信号の方形波と同様の出力で報知手段が単純に報知する他、使用者が温風を継続して長時間使用している場合に、かかる時間の長さに応じて点滅速度を速めて時間と伴に強く促すこともできる。
【００４３】
また、本実施形態に係るドライヤにおいては、放電手段５０を動作させるか否かを決定する放電スイッチ（スイッチの他、ボタン、スライドノブ等でもよい）を備えることもでき、使用者のスイッチ操作によって放電手段５０を動作させるか否かを決定でき、温風及び冷風が切り替わりながら動作している場合の温風中に無駄なマイナスイオンを放出することも防止したり、温風のみを送出するモードがある場合にも同様に無駄なマイナスイオンを放出することなく乾燥を重点的に行うことができる。
【００４４】
（本発明の第２の実施形態）
本発明の第２の実施形態に係るドライヤについて、図６に基づいて説明する。図６は本実施形態に係るドライヤのタイミングチャートである。
本実施形態に係るドライヤは、前記第１の実施形態に係るドライヤと基本的構成を同一とし、第１の実施形態に係るドライヤがこのモータ１０の回転駆動及び放電電極５１の放電に遅れて手動でなく自動的にヒータユニット２０が風を加熱するのに対して、操作機構であるスライドノブ４１がスライドされた場合に、前記モータ１０が回転駆動すると共に前記放電電極５１及び対向電極５５に高電圧を印加し、さらに、ヒータ線２１を導通し加熱させ、このヒータ線２１による加熱開始の加熱期間が、前記ヒータユニットによる加熱の間欠周期の加熱期間よりも長い構成である。また、加熱開始の加熱期間の経過後は、間欠周期の加熱期間よりも加熱停止期間を長く構成している。このような構成により、加熱開始当初は乾燥を中心に行ってその後は間欠的に温風及び冷風を供給しながらも冷風の供給期間の比重を高めてマイナスイオンの髪への供給を重点的に行うことができ、加熱開始当初で乾燥を行ってマイナスイオンが浸透しやすい髪にし続けてマイナスイオンを十分に浸透させ、より一層のヘアケアを実現することができる。例えば、加熱開始の加熱期間を８[秒]、間欠周期を８[秒]、加熱期間を２[秒]、加熱停止期間を６[秒]とすることができる。前記第１の実施形態で間欠周期、加熱期間、加熱停止期間は０．１[秒]ないし１０[秒]であることが望ましいとしたが、同様に、加熱開始の加熱期間も０．１[秒]ないし１０[秒]であることが望ましく、さらに、数十秒ないし数分程度であることがより望ましい。
【００４５】
スライドノブ４１を第１段階目にスライドさせた送風モードにおいては、ヒータ線２１への導通がないため、前記第１の実施形態に係るドライヤと同様の動作となる。
スライドノブ４１を第２段階目にスライドさせた小温風モードにおいては、第２のスイッチ６４が開放状態に移行し、第１のスイッチ６２、第３のスイッチ６９及び第６のスイッチ７９が投入状態となって、ダイオードブリッジ６５で全波整流され、コンデンサ６６で平滑されモータ１０に供給されて駆動すると共に、ダイオード７０で半波整流され、第５のスイッチに電流が流れ込み、スライドノブ４１が第２段階目にスライドしたことをヒータ制御回路が検出した時刻（t2-1）から時刻（t2-2）までの間に既に投入状態となっておりヒータ線２１に電流が供給されてヒータ線２１が加熱され、モータ１０の駆動によりファン１が回転して風洞部３１内部を通る風も加熱され、温風が吹出口２から送出される。ここで、第６のスイッチ７９が投入されていることから、マイナスイオンも放出される。時刻（t2-2）になると、手動でなく自動的にヒータ制御回路７４から出力停止期間の制御信号が出力され、第５のスイッチ７３が開放状態となって、ヒータ線２１に電流が供給されずヒータ線２１が加熱されることなく、モータ１０の駆動によりファン１が回転して風洞部３１内部を通る風も加熱されず、冷風が吹出口２から送出される。時刻（t2-3）になると、手動でなく自動的にヒータ制御回路７４から出力期間の制御信号が出力され、第５のスイッチがスイッチングして、再び、投入状態となって、ヒータ線２１に電流が供給されてヒータ線２１が加熱され、温風が吹出口２から送出され、この状態が時刻（t2-4）まで継続される。時刻（t2-4）以降は、スライドノブ４１がオフ位置までスライドされる時刻（t2-6）までは、時刻（t2-2）ないし時刻（t2-4）までの動作が手動でなく自動的に繰り返しなされる。この小温風モードにおいては、第３のスイッチ６９が投入状態になっておりヒータ線２１が間欠的に導通し、このヒータ線２１の間欠的な導通に同期して発光ダイオード７７にも電流が供給され発光がなされる。図６に示すように時刻（t2-2）から時刻（t2-3）までの加熱停止期間を、時刻（t2-3）から時刻（t2-4）までの加熱期間の３倍とし、間欠周期中加熱停止期間の割合を大きくし、間欠周期中においてはマイナスイオンの髪への供給を重点的に行ってヘアケアを実現している。
【００４６】
スライドノブ４１を第３段階目にスライドさせた大温風モードにおいては、第１のスイッチ６２、第２のスイッチ６４、第３のスイッチ６９、第４のスイッチ７１及び第６のスイッチ７９が投入状態となって、モータ１０には送風モードの電力供給がなされる。また、ヒータ線２１もダイオード７０を介さず第４のスイッチ７１を介して電圧が印加されることから半波整流がなく第５のスイッチ７３の流れ込み、ヒータ制御回路７４の制御信号により時刻（t2-1）のスライドノブ４１のスライド直後から第５のスイッチ７３が投入状態となり、ヒータ線２１への供給電力が大きくなってヒータ線２１の出力も大きくなる。そうすることで、スライド直後から送風モードの送風量で、小温風モードの温度で温風が大温風モードとして吹出口２から送出される。また、第６のスイッチ７９が投入されていることから、マイナスイオンも放出される。この時刻（t2-1）から時刻（t2-2）までの時間に利用者の髪は乾燥し、時刻（t2-2）から時刻（t2-3）までの時間はヒータ制御回路７４の制御信号により第５のスイッチ７３が開放状態となって加熱されておらず蒸発するエネルギーを有しないマイナスイオンが放出され、利用者の髪に付着し浸透する。時刻（t2-3）から時刻（t2-4）までの時間は第５のスイッチ７３が再び投入状態となって利用者の髪を乾燥、ブローし、又は利用者の髪の表層にあり髪に浸透していない過剰なマイナスイオンを蒸発させる。時刻（t2-4）以降は、時刻（t2-2）から時刻（t2-4）までの動作が手動でなく自動的に繰り返し、スライドノブ４１がオフ位置までスライドがなされる時刻（t2-6）まで行われる。前記小温風モードと同様に、手動でなく自動的にヒータ制御回路７４より制御信号が出力され、間欠的にヒータ線２１が導通し、間欠的な温風が吹出口２から送出される。この大温風モードにおいても、前記小温風モードと同様に、ヒータ線２１の間欠的な導通に同期して発光ダイオード７７にも電流が供給され発光がなされる。
【００４７】
このように本実施形態に係るドライヤによれば、スライドノブ４１の操作により、モータ１０の駆動、放電電極５１及び対向電極５５への電圧印加及びヒータ線２１の加熱が開始され、このヒータ線２１の加熱開始直後の加熱期間（間欠周期の加熱期間ではない）が、ヒータ線２１が間欠的に加熱する場合の加熱期間よりも長いので、モータ１０の回転駆動、放電電極５１及び対向電極５５への電圧印加及びヒータ線２１の加熱の開始により通常の温風が送出され、まずはこの温風により利用者の髪を乾燥させ、マイナスイオンが付着しやすい状態にして蒸発するエネルギーを伴わない冷風に乗ったマイナスイオンを乾燥した髪に付着させてマイナスイオンが円滑に浸透し易くし、髪に艶を出し、髪をしっとり、さらさらとすることができる。
【００４８】
なお、スライドノブ４１を操作させ、ヒータ線２１の加熱開始直後の加熱期間が一定であるが、加熱開始直後の加熱期間を調整するスイッチ又はダイヤル等の当初加熱期間調整手段を設けることもでき、髪を乾かし、ブローする場合に当初温風が必要となる時間は、利用者によって異なり、ドライヤを使用している空間の温度、湿度により異なり、かかる調整手段を設けることで、利用者の状況に応じた調整をして温風を所望の時間だけ得ることができる。ここで、前記当初加熱期間調整手段は、複数のスライド位置毎に当初加熱期間を異ならせて設定することでも実現することができる。
【００４９】
（本発明の第３の実施形態）
本発明の第３の実施形態に係るドライヤについて、図７又は図８に基づいて説明する。図７は本実施形態に係るドライヤの回路図、図８は本実施形態に係るドライヤのタイミングチャートである。
本実施形態に係るドライヤは、前記第２の実施形態に係るドライヤと同様に構成され、ヒータ線２１の導通を手動でなく自動的に間欠的に行うだけでなく、前記放電電極５１及び対向電極５５への電圧印加を手動でなく自動的に間欠的に行う構成である。
【００５０】
図７の回路図に示すように、放電に関する回路部分である前記整流回路８０とパルス発生回路５３との間に、第７のスイッチ８１配置すると共に、第５のスイッチ７３のみに制御信号を出力するヒータ制御回路７４に代わって、このヒータ制御回路７４の機能を包含し第７のスイッチ８１へも制御信号を出力するヒータ・放電制御回路８２及び電源ラインから電圧を降圧してヒータ・放電制御回路８２に供給する降圧回路８３を配置する。
【００５１】
ヒータ・放電制御回路８２は、第５のスイッチ７３と第７のスイッチ８１とへそれぞれ別途独立に制御信号を出力するのではなく、第５のスイッチ７３を投入している場合には第７のスイッチ８１を開放し、第５のスイッチ７３を開放している場合には第７のスイッチ８１を投入するように制御信号を手動でなく自動的に第５のスイッチ７３及び第７のスイッチ８１に出力している。このような制御信号をそれぞれ出すことは、発信回路を形成し、この発信回路からの発信信号を適宜分周させ、所望のパルスを制御信号として第５のスイッチ７３に出力すると共に、論理素子を用いて反転信号を第７のスイッチ８１に出力することで実現することができる。このように第５のスイッチ７３に出力する制御信号と第７のスイッチ８１に出力する制御信号とが相互に関係を有しているため、ヒータ制御回路７４と新たに放電制御回路とを別々に設けることなく、ヒータ・放電制御回路８２として回路を実装した。このような回路実装の場合には、前記第１の実施形態及び第２の実施形態で例示したように、例えば、間欠周期の一周期を８[秒]とし、加熱期間を４[秒]、加熱停止期間を４[秒]、加熱開始の加熱期間は８[秒]、放電期間を４[秒]、放電停止期間を４[秒]とすることができる。前記第１の実施形態及び第２の実施形態で間欠周期、加熱期間、加熱停止期間、加熱開始の加熱期間は０．１[秒]ないし１０[秒]であることが望ましいとしたが、同様に、放電期間及び放電停止期間も０．１[秒]ないし１０[秒]であることが望ましく、さらに、数十秒ないし数分程度であることがより望ましい。ここで、ヒータ制御回路７４と放電制御回路とを別々に設けた回路にすることもできるが、同期信号を少なくとも一方から他方に出力するか、または、これらヒータ制御回路７４と放電制御回路を制御する回路が必要となり、実質的にヒータ・放電制御回路８２と同一の構成となる。
【００５２】
前記放電電極５１及び対向電極５５に高電圧を印加するトランス５２に並列に抵抗８４及び発光ダイオード８５が接続され、第７のスイッチが投入状態となってトランスに電圧が印加されると共に抵抗８４及び発光ダイオード８５にも電流が流れ込み、発光ダイオード８５が発光する。
【００５３】
次に、本実施形態に係るドライヤの動作について説明する。
送風モードの場合には、第３のスイッチ６９が投入されず、ヒータ・放電制御回路８２は第５のスイッチ７３に制御信号を手動でなく自動的に出力しない。第６のスイッチ７９は投入され、第７のスイッチ８１には電流が流れ込み、ヒータ・放電制御回路８２は経過時刻に関係なく、スライドノブ４１がスライドして第１段階目に位置した時からオフ位置までスライドされるまでの間、出力期間の制御信号を手動でなく自動的に第７のスイッチ８１に出力する。したがって、送風モードの場合には、冷風が吹出口２から送出され始めて終了するまでの間は、放電電極５１及び対向電極５５に電圧が印加されてマイナスイオンを風に乗せて放出する。このマイナスイオンが放出されている間は、前記したように発光ダイオード８５が発光する。ここで、冷風の場合には、温風と比べマイナスイオンにエネルギーを与えて蒸発することはないが、髪に対してマイナスイオンを供給し過ぎて髪がマイナスに帯電し、後続の送出された新鮮なマイナスイオンが同極性であるため髪から反発して髪に付着・浸透することができない。したがって、ヒータ・放電制御回路８２が送風モードにおいても、手動でなく自動的に間欠的に出力期間及び出力停止期間の制御信号を第７のスイッチ８１に出力し、放電電極５１及び対向電極５５の電圧印加が間欠的となって送出される風に伴うマイナスイオンも間欠的に放出される構成とし、過剰なマイナスイオンによる帯電を防止することもできる。
【００５４】
スライドノブ４１が２段階目にスライドされ、小温風モードになった場合には、第３のスイッチ６９が投入され、スライドノブ４１がスライドされたことをヒータ・放電制御回路８２が検出した時刻（t3-1）になると手動でなく自動的にヒータ・放電制御回路８２から第５のスイッチ７３に出力期間の制御信号が出力されヒータ線２１が加熱する一方、手動でなく自動的にヒータ・放電制御回路８２から第７のスイッチ８１に出力停止期間の制御信号が出力され放電電極５１及び対向電極５５に電圧が印加されない。時刻（t3-1）から所定時間経過した時刻（t3-2）になると、逆に、手動でなく自動的にヒータ・放電制御回路８２から第５のスイッチ７３に出力停止期間の制御信号が出力されヒータ線２１が加熱しない一方、手動でなく自動的にヒータ・放電制御回路８２から第７のスイッチ８１に出力期間の制御信号が出力され放電電極５１及び対向電極５５に電圧が印加されマイナスイオンを生成して吹出口２から放出する。時刻（t3-3）になると、時刻（t3-1）のように手動でなく自動的にヒータ・放電制御回路８２から制御信号が第５のスイッチ７３及び第７のスイッチ８１に出力する。時刻（t3-4）以降は、時刻（t3-2）ないし時刻（t3-4）までのヒータ・放電制御回路８２からの制御信号に基づいてヒータ線２１並びに放電電極５１及び対向電極５５に電圧が印加される。時刻（t3-1）ないし時刻（t3-2）までの間、時刻（t3-3）ないし時刻（t3-4）までの間、時刻（t3-4）以降で時刻（t3-3）ないし時刻（t3-4）までの間に相当する間には、ヒータ線２１にも電流が供給されるため発光ダイオード７７の発光がなされる。時刻（t3-2）ないし時刻（t3-3）までの間、時刻（t3-4）以降で時刻（t3-2）ないし時刻（t3-3）までの間に相当する間には、トランス５２にも電圧が印加されるため発光ダイオード８５の発光がなされる。したがって、発光ダイオード７７と発光ダイオード８５は、ヒータ・放電制御回路８２の制御信号に基づいて交互に発光することとなる。大温風モードの場合もこの小温風モードに準じて動作し、異なる動作としては、第２のスイッチ６４及び第４のスイッチ７１が投入状態となって、モータ１０及びヒータ線２１がより高い出力なって動作する点である。
【００５５】
このように本実施形態に係るドライヤによれば、前記ヒータ線２１の加熱を手動でなく自動的に間欠的に行うだけでなく、放電電極５１及び対向電極５５への電圧印加が手動でなく自動的に間欠的になされるので、ヒータ線２１の加熱の間欠周期の加熱停止期間があることで、放電により生成されたマイナスイオンが大量に利用者の髪に供給されマイナスに帯電し、後続のマイナスイオンがこの帯電により反発し新鮮で蒸発エネルギーのないマイナスイオンを髪に供給することができないという状況を回避することができ、適量なマイナスイオンを供給して帯電することなく効率的にマイナスイオンを髪に浸透させることができる。また、前記ヒータ線２１による間欠的な加熱は加熱期間と加熱停止期間があり、加熱期間で放電を行わずにマイナスイオンを供給しないことで前記過剰なマイナスイオンによる帯電を防止しつつ、水分子に対して温風によってエネルギーを与えて蒸発させ不要なマイナスイオンを蒸発をもって離反させ、加熱停止期間で放電を行って大量のマイナスイオンを前記温風にて付着し易い状態にある髪に対して供給しており、不要なマイナスイオンが生成されず効率的な動作を行うことができる。また、前記発光ダイオード８５を備えて前記放電電極５１及び対向電極５５の電圧印加期間に発光するので、利用者が発光ダイオード７７の発光にて前記加熱期間を視覚で確認するだけでなく、放電期間をも発光ダイオード８５の発光により視覚で確認することができ、特に放電期間中であっても人はマイナスイオンの放出を受けても体感することができないため、視覚的にマイナスイオンが放出することを知った上で効率的な使用が可能となる。
【００５６】
なお、本実施形態に係るドライヤにおいては、間欠周期の加熱期間と加熱停止期間との割合を調整するダイヤル、スイッチ等の割合調整手段を設けることもでき、利用者が自己の髪質に合わせて加熱期間と加熱停止期間との割合を調整して用いることができる。前記第１の実施形態との異なる点としては、本実施形態では間欠周期の加熱停止期間に合わせて放電を行うためマイナスイオンが冷風送出時のみに放出され、温風送出時には髪に過剰に付着したマイナスイオンを蒸発させる点であり、このような場合にマイナスイオンが放出される期間が割合調整手段による調整次第で変わって、これによりマイナスイオンの放出量が大きく変わるため、利用者の調整が特に肝要となる。
【００５７】
また、本実施形態に係るドライヤにおいては、前記第１の実施形態における間欠周期の加熱停止期間に合わせて、モータ１０に印加する電圧を小さくし、回転数を減らし吹出口２からの風量を小さくするという構成に加えて、間欠周期の加熱期間に合わせて、モータ１０に印加する電圧を大きくし、回転数を上げて吹出口２からの風量を大きくする構成にすることもでき、本実施形態では加熱期間には放電をしないためマイナスイオンが放出されず、温風により髪に浸透していない付着しているだけのマイナスイオンを蒸発させており、かかる加熱期間にてモータ１０の回転数を上げて不要なマイナスイオンの蒸発を促進させることができる。より確実には、ヒータ線２１への出力を同時に上げることが望ましい。
【００５８】
また、本実施形態に係るドライヤにおいては、前記第１の実施形態における発光ダイオード７７の発光をヒータ線２１の加熱よりも若干（例えば、数秒以下から０．１秒以上）早く発光する構成に加えて、発光ダイオード８５の発光を放電よりも若干（例えば、数秒以下から０．１秒以上）早く発光する構成にし、発光ダイオード７７の発光を利用者が見て乾燥又は整髪させたい部位にドライヤのノズル３先を向ける余裕と、発光ダイオード８５の発光を利用者が見てマイナスイオンを供給させたい部位にドライヤのノズル３先を向ける余裕とを利用者に与えることができる。
【００５９】
また、本実施形態に係るドライヤにおいては、マイナスイオンが送出されていることを報知する手段としては発光手段である発光ダイオード８５を用いたが、ブザー又はスピーカー等の発音手段、又は、バイブレーター等の振動手段を発光手段の代替として用いることもでき、また、重畳して用いることもできる。
【００６０】
また、本実施形態に係るドライヤにおいては、放電手段５０を動作させるか否かを決定する放電スイッチ（スイッチの他、ボタン、スライドノブ等でもよい）を備えることもでき、使用者のスイッチ操作によって放電手段５０を動作させるか否かを決定でき、間欠的に放電手段５０が放電し、間欠的にマイナスイオンを放出する場合でも、マイナスイオンを受けることなく、冷風を受けたい場合もあり、例えば、湿度が高く暑い環境においては、髪や頭皮に潤いを与えるよりも爽快感を受けながら冷風のみで乾燥させたい場合もある。また、このような放電スイッチをさらに、間欠的に放電を行わせるのではなく継続的に放電を行わせるためのスイッチとして使用することもできる。髪の量、髪の長さによっては、継続してマイナスイオンを放出してもマイナスイオンが過剰に積層しない場合もあり、髪の量が多い使用者、髪の長い使用者、髪を浮かせながら満遍なくマイナスイオンを髪全体に供給することができる使用者の場合には過剰にマイナスイオンが積層しないため、間欠的でなく継続的にマイナスイオンを供給することが望ましい場合もある。
【００６１】
（本発明の第４の実施形態）
本発明の第４の実施形態に係るドライヤについて、図９に基づいて説明する。図９は本実施形態に係るドライヤの断面図、背面図及び使用形態図である。
本実施形態に係るドライヤは、風洞部３１に配設される前記発光ダイオード７７及び発光ダイオード８５が、前記送風ファン１により風を生起するために空気を吸い込む吸込口４側に向けて発光する構成である。
【００６２】
吸込口４側に向けて発光するためには、図９（ａ）（ｂ）に示すように衝立板９０を風洞部３１のケース本体３０の上部に形成し、かかる衝立板９０の吸込口４側に発光ダイオード７７及び発光ダイオード８５を並列に配置する。発光ダイオードの発色は、発光ダイオード７７が赤色で、発光ダイオード８５が青色とし、利用者が見れば発色により発光ダイオード７７がヒータに関連し、発光ダイオード８５がマイナスイオンに関連することが想起できるようにしている。単に、発光ダイオード７７及び発光ダイオード８５を風洞部３１のケース本体３０上部に配置した場合には、レーザーと異なり集光性のない発光ダイオードの光は全方向に向けて放射され、ドライヤーが使用される照度内において利用者が視認できるように輝度が高い接続構造の発光ダイオード（ダブルへテロ接合構造、量子井戸接合構造）を用いる必要がある。しかしながら、図９に示す衝立板９０を形成し、放射方向を特定することで、輝度の高い接続構造でない発光ダイオードであっても利用者が視認できるようにすることができる。すなわち、光の放射方向を限定することで対応することができる。ここで、吸込口４側に限定したのは、利用者がドライヤーを鏡を用いて使用する場合には、図９に示すように、ドライヤの背面側が多くの場合映っており、限定方向として望ましいからである。
【００６３】
このように本実施形態に係るドライヤによれば、発光ダイオード７７及び発光ダイオード８５が吸込口４側に向けて発光するので、使用者はドライヤーを使用する場合には洗面台の鏡９１と対面して使用しており、かかる使用においては多くの場合に吸込口４側が鏡９１に映し出された状態にあり、かかる吸込口４に発光ダイオード７７及び発光ダイオード８５を設けることで利用者が確実に視認することができ、利便性がよい。
【００６４】
なお、本実施形態に係るドライヤにおいては、衝立板９０、又は、発光ダイオード７７及び発光ダイオード８５部分のみを吸込口４側に向けて開口している半球状の反射板で覆うこともでき、発光ダイオード７７及び発光ダイオード８５から放射される光を効率よく吸込口４側に向けて限定的に放射することができる。また、衝立板９０、又は、発光ダイオード７７及び発光ダイオード８５を、白濁した半透明なプラスチックで完全に覆うこともでき、このような構成で発光ダイオード７７及び発光ダイオード８５を発光させることで、発光がプラスチックの白濁した表面部分で散乱し、幻想的な発光を実現することができる。
【００６５】
また、本実施形態に係るドライヤにおいては、グリップ４０の背面側に発光ダイオード７７及び発光ダイオード８５を配設することもでき、同様に吸込口４側に発光していることとなり、前記利用者への確実な視認を実現することができる。
【００６６】
（本発明のその他の実施形態）
前記各実施形態に係るドライヤに示したように人の髪に使用するヘアードライヤに本発明を適用することができる以外に、ペットを乾燥させるペット用ドライヤ、手を乾燥させるハンドドライヤ、体を乾燥させるボディ用ドライヤに適用することもでき、毛又は皮膚に対して小さな水分子からなるマイナスイオンを浸透させ潤いを与えることができる。
【図面の簡単な説明】
【００６７】
【図１】本発明の第１の実施形態に係るドライヤの断面図である。
【図２】本発明の第１の実施形態に係るドライヤの断面説明図及び要部拡大図である。
【図３】本発明の第１の実施形態に係るドライヤの回路図である。
【図４】本発明の第１の実施形態に係るドライヤのタイミングチャートである。
【図５】本発明の第１の実施形態に係るドライヤのタイミングチャートである。
【図６】本発明の第２の実施形態に係るドライヤのタイミングチャートである。
【図７】本発明の第３の実施形態に係るドライヤの回路図である。
【図８】本発明の第３の実施形態に係るドライヤのタイミングチャートである。
【図９】本発明の第４の実施形態に係るドライヤの断面図、背面図及び使用形態図である。
【符号の説明】
【００６８】
１  ファン
２  吹出口
３  ノズル
４  吸込口
５  電源コード
６  電源プラグ
１０  モータ
２０  ヒータユニット
２１  ヒータ線
２２  ヒータ基枠
３０  ケース本体
３１  風洞部
４０  グリップ
４１  スライドノブ
４２  スライドノブ
４３  スイッチ
５０  放電手段
５１  放電電極
５２  トランス
５３  パルス発生回路
５４  絶縁部材
５５  対向電極
５６  絶縁筒
６１  交流電源
６２  第１のスイッチ
６３  ダイオード
６４  第２のスイッチ
６５  ダイオードブリッジ
６６  平滑コンデンサ
６７  ヒューズ
６８  抵抗
６９  第３のスイッチ
７０  ダイオード
７１  第４のスイッチ
７２  サーモスイッチ
７３  第５のスイッチ
７４  ヒータ制御回路
７５  降圧回路
７６  抵抗
７７  発光ダイオード
７８  ヒューズ
７９  第６のスイッチ
８０  整流回路
８１  第７のスイッチ
８２  ヒータ・放電制御回路
８３  降圧回路
８４  抵抗
８５  発光ダイオード
９０  衝立板
９１  鏡
【図１】
2006192075.tif 000003
【図２】
2006192075.tif 000004
【図３】
2006192075.tif 000005
【図４】
2006192075.tif 000006
【図５】
2006192075.tif 000007
【図６】
2006192075.tif 000008
【図７】
2006192075.tif 000009
【図８】
2006192075.tif 000010
【図９】
2006192075.tif 000011